(57)【要約】      （修正有）【課題】サッシの継目などの僅かな隙間に取り付けることができ、外側から見えにくくすることができる着脱式固定金具を提供すること。【解決手段】構造物等に固定設置される固定側金具１１と、この固定側金具１１に着脱自在に連結される着脱側金具２１とからなり、固定側金具１１に係止用凹部１５と連続するガイド凹部１４を設ける。着脱側金具２１にガイド凹部１４に挿入可能かつ係止用凹部１５で係止可能な係止凸部２３を設ける。この着脱側金具２１の固定側金具１１への係止状態を保持する保持手段２５を板ばね２６で構成する。これにより、固定側金具１１の厚さを小さくでき、構造物のわずかな隙間に埋め込んで外から見えにくくできる。【選択図】図１
0003120060.tif 000002
【実用新案登録請求の範囲】
【請求項１】
構造物等に固定設置される固定側金具と、この固定側金具に着脱自在に連結される着脱側金具とからなり、
前記固定側金具に係止用凹部とこの係止用凹部に連続するガイド凹部を設ける一方、前記着脱側金具に前記ガイド凹部に挿入可能かつ前記係止用凹部で係止可能な係止凸部を設け、この着脱側金具の前記固定側金具への係止状態を保持する保持手段を設けてなることを特徴とする着脱式固定金具。
【請求項２】
前記係止用凹部と前記ガイド凹部とを略Ｌ字状の溝で構成してなることを特徴とする請求項１記載の着脱式固定金具。
【請求項３】
前記固定側金具を水平に固定する一方、前記保持手段で前記着脱側金具を上下に押えて保持可能に構成してなることを特徴とする請求項１または２記載の着脱式固定金具。
【請求項４】
前記保持手段を、板ばねのばね力で押える押さえ機構で構成したことを特徴とする請求項１〜３のいずれかに記載の着脱式固定金具。
【請求項５】
前記固定側金具を、建築物のサッシの継目に埋め込んで固定可能に構成してなることを特徴とする請求項１〜４のいずれかに記載の着脱式固定金具。
【請求項６】
前記着脱側金具にワイヤを連結するとともに、このワイヤの他端を昇降作業装置の吊下げ用ワイヤに連結して振止金具として構成してなることを特徴とする請求項１〜５のいずれかに記載の着脱式固定金具。
【考案の詳細な説明】
【技術分野】
【０００１】
この考案は着脱式固定金具に関し、構造物の表面から目立たないように設置して簡単に着脱できるようにしたもので、例えば建築物などの構造物の上部から垂下した吊りワイヤを介してゴンドラなどの昇降用作業装置を昇降して作業を行う場合の振れ止めワイヤを構造物に固定するのに好適なものである。
【背景技術】
【０００２】
従来から、ビル、船舶、発電所、タンク、煙突、そして橋梁などの構造物の壁面の構築や補修などの高所作業を安全かつ能率的に行うため有人のゴンドラや自動窓拭き装置などの昇降作業装置を用いることも多く、上下の昇降だけでなく左右の横行を組み合わせて移動させることで広範囲の作業を行うようにしている。
【０００３】
このような昇降作業装置には、大きく２つの形式があり、その１つは、常設式のもので、特許文献１に開示されているものを図２に示すように、建築物Ｂの屋上部にレール１に沿って走行可能な台車２を設けておき、この台車２に搭載した昇降機構を介してワイヤーロープ等の吊り下げ用ワイヤ３を構造物Ｂの外側に突き出すアーム２ａの先端から吊り下げて作業用ケージ４を連結し、この作業用ケージ４を台車２内の昇降機構による吊り下げ用ワイヤ３の巻き取り・繰り出しによって昇降させることと、屋上での台車２の走行とを組み合わせて作業するようにしたものである。
【０００４】
もう１つは、仮設式のもので、特許文献２に開示されているように、構造物の上部である屋上などに横行レールを仮設し、この横行レールに沿って走行する２台のトロリーから吊り下げ用ワイヤである昇降用ワイヤを吊り下げ、作業装置としての作業用ケージに搭載した昇降機構であるエンドレスワインダによって昇降用ワイヤに沿って作業用ケージを昇降させるようにし、作業用ケージの昇降と、横行レールに沿ってトロリーを走行させることを組み合わせて作業するようにしたものや横行レールを使用せず昇降だけを行う作業用ケージがある。
【０００５】
この作業装置では、作業用ケージ４が屋上から吊下げ用ワイヤ３で吊下げられるため、風などによって揺れたり、作業にともなう反力によって揺れることがあり、作業がやり難くなることから、その対策の１つとして吊下げ用ワイヤ３と構造物である建築物との間に振れ止めワイヤ６を一定間隔ごとに設置することが行われる。
【０００６】
このため、例えば図３に示すように、建物側に予め受け金具７を取り付けておき、作業用ケージによる作業を行う場合に振れ止めワイヤ６の一端の振れ止め金具８を受け金具７に連結し、他端のスイベルフック９を吊下げ用ワイヤ３に引っ掛けて連結するようにしている。
【特許文献１】特開２０００−３２０１３３号公報
【特許文献２】特開平２−３０８５１号公報
【考案の開示】
【考案が解決しようとする課題】
【０００７】
しかしながら、このような作業用ケージ４の振れ止めのために建物側に予め取り付ける受け金具６が、使用していない場合に、外側に突き出して多数設置され、外から見えるため建物のデザイン上好ましくないという問題がある。
【０００８】
そこで、建物の設計段階で、受け金具を外から見えないように取り付けることが出来るスペースを確保することもあるが、その分だけサッシの断面構造などが複雑になり、敬遠されることが多いという問題もある。
【０００９】
この考案は、上記問題に鑑みてなされたものであって、サッシの継目などの僅かな隙間に取り付けることができ、外側から見えにくくすることができる着脱式固定金具を提供しようとするものである。
【課題を解決するための手段】
【００１０】
上記課題を解決するためこの考案の請求項１記載の着脱式固定金具は、構造物等に固定設置される固定側金具と、この固定側金具に着脱自在に連結される着脱側金具とからなり、前記固定側金具に係止用凹部とこの係止用凹部に連続するガイド凹部を設ける一方、前記着脱側金具に前記ガイド凹部に挿入可能かつ前記係止用凹部で係止可能な係止凸部を設け、この着脱側金具の前記固定側金具への係止状態を保持する保持手段を設けてなることを特徴とするものである。
【００１１】
この着脱式固定金具によれば、構造物等に固定設置される固定側金具と、この固定側金具に着脱自在に連結される着脱側金具とからなり、前記固定側金具に係止用凹部とこの係止用凹部に連続するガイド凹部を設ける一方、前記着脱側金具に前記ガイド凹部に挿入可能かつ前記係止用凹部で係止可能な係止凸部を設け、この着脱側金具の前記固定側金具への係止状態を保持する保持手段を設けてあり、固定側金具を構造物などに固定し、そのガイド凹部から着脱用金具の係止凸部を入れて係止用凹部に係止することで、簡単に連結でき、保持手段で連結した係止状態を保持できるようなる。
【００１２】
これにより、厚さを小さくすることで、構造物のわずかな隙間に埋め込むように固定側金具を取り付けて外から見えにくくすることができるようになる。
【００１３】
また、この考案の請求項２記載の着脱式固定金具は、請求項１記載の構成に加え、前記係止用凹部と前記ガイド凹部とを略Ｌ字状の溝で構成してなることを特徴とするものである。
【００１４】
この着脱式固定金具によれば、前記係止用凹部と前記ガイド凹部とを略Ｌ字状の溝で構成してあり、Ｌ字状の溝に沿ってガイドされながら係止用凹部に簡単に係止することができ、Ｌ字状に動かすだけで連結操作や取り外し操作が簡単にできるようにしている。
【００１５】
さらに、この考案の請求項３記載の着脱式固定金具は、請求項１または２記載の構成に加え、前記固定側金具を水平に固定する一方、前記保持手段で前記着脱側金具を上下に押えて保持可能に構成してなることを特徴とするものである。
【００１６】
この着脱式固定金具によれば、前記固定側金具を水平に固定する一方、前記保持手段で前記着脱側金具を上下に押えて保持可能に構成してあり、固定側金具を水平に配置することで、一層容易にサッシの継目の隙間などに取り付けることができ、外から見えにくくすることができるようになるとともに、隙間を利用して上下に押えて簡単に係止状態を保持できるようになる。
【００１７】
また、この考案の請求項４記載の着脱式固定金具は、請求項１〜３のいずれかに記載の構成に加え、前記保持手段を、板ばねのばね力で押える押さえ機構で構成したことを特徴とするものである。
【００１８】
この着脱式固定金具によれば、前記保持手段を、板ばねのばね力で押える押さえ機構で構成しており、板ばねによるばね力を利用することで簡単に押さえ機構を構成して簡単に係止状態を保持できるようになる。
【００１９】
さらに、この考案の請求項５記載の着脱式固定金具は、請求項１〜４のいずれかに記載の構成に加え、前記固定側金具を、建築物のサッシの継目に埋め込んで固定可能に構成してなることを特徴とするものである。
【００２０】
この着脱式固定金具によれば、前記固定側金具を、建築物のサッシの継目に埋め込んで固定可能に構成してあり、固定側金具を建築物のサッシの継目に埋め込むんで固定できるので、サッシの断面構造を複雑にすることなく、簡単に固定して外から見えにくくすることができるようになる。
【００２１】
また、この考案の請求項６記載の着脱式固定金具は、請求項１〜５のいずれかに記載の構成に加え、前記着脱側金具にワイヤを連結するとともに、このワイヤの他端を昇降作業装置の吊下げ用ワイヤに連結して振止金具として構成してなることを特徴とするものである。
【００２２】
この着脱式固定金具によれば、前記着脱側金具にワイヤを連結するとともに、このワイヤの他端を昇降作業装置の吊下げ用ワイヤに連結して振止金具として構成してあり、この固定側金具と着脱側金具を昇降作業装置の吊下げ用ワイヤの振止金具とすることで、固定側金具を外側から見えにくくでき、しかも着脱操作も簡単にでき、吊下げ用ワイヤの振れ止めが簡単にできるようになる。
【考案の効果】
【００２３】
この考案の請求項１記載の着脱式固定金具によれば、構造物等に固定設置される固定側金具と、この固定側金具に着脱自在に連結される着脱側金具とからなり、前記固定側金具に係止用凹部とこの係止用凹部に連続するガイド凹部を設ける一方、前記着脱側金具に前記ガイド凹部に挿入可能かつ前記係止用凹部で係止可能な係止凸部を設け、この着脱側金具の前記固定側金具への係止状態を保持する保持手段を設けたので、固定側金具を構造物などに固定し、そのガイド凹部から着脱用金具の係止凸部を入れて係止用凹部に係止することで、簡単に連結することができ、保持手段で連結した係止状態を保持することができる。
【００２４】
これにより、厚さを小さくすることができ、構造物のわずかな隙間に埋め込むように固定側金具を取り付けて外から見えにくくすることができる。
【００２５】
また、この考案の請求項２記載の着脱式固定金具によれば、前記係止用凹部と前記ガイド凹部とを略Ｌ字状の溝で構成したので、Ｌ字状の溝に沿ってガイドされながら係止用凹部に簡単かつ確実に係止することができ、Ｌ字状に動かすだけで連結操作や取り外し操作を簡単に行うことができる。
【００２６】
さらに、この考案の請求項３記載の着脱式固定金具によれば、前記固定側金具を水平に固定する一方、前記保持手段で前記着脱側金具を上下に押えて保持可能に構成したので、固定側金具を水平に配置することで、一層容易にサッシの継目の隙間などに取り付けることができ、外から見えにくくすることができるとともに、隙間を利用して上下に押えて簡単に係止状態を保持することができる。
【００２７】
また、この考案の請求項４記載の着脱式固定金具によれば、前記保持手段を、板ばねのばね力で押える押さえ機構で構成したので、板ばねによるばね力を利用することで簡単に押さえ機構を構成することができるとともに、簡単に係止状態を保持することができる。
【００２８】
さらに、この考案の請求項５記載の着脱式固定金具によれば、前記固定側金具を、建築物のサッシの継目に埋め込んで固定可能に構成したので、固定側金具を建築物のサッシの継目に埋め込むんで固定することができ、サッシの断面構造を複雑にすることなく、簡単に固定して外から見えにくくすることができる。
【００２９】
また、この考案の請求項６記載の着脱式固定金具によれば、前記着脱側金具にワイヤを連結するとともに、このワイヤの他端を昇降作業装置の吊下げ用ワイヤに連結して振止金具として構成したので、この固定側金具と着脱側金具を昇降作業装置の吊下げ用ワイヤの振止金具とすることで、固定側金具を外側から見えにくくすることができ、しかも着脱操作も簡単にでき、吊下げ用ワイヤの振れ止めを簡単に行うことができる。
【考案を実施するための最良の形態】
【００３０】
以下、この考案の着脱式固定金具の一実施の形態について、添付図面を参照して詳細に説明する。
図１はこの考案の着脱式固定金具を昇降作業装置の作業用ケージの吊下げ用ワイヤの振れ止めに適用した振止金具としての一実施の形態にかかり、（ａ）は拡大斜視図、（ｂ）は使用状態の断面図である。
【００３１】
この着脱式固定金具１０は、構造物などに固定される固定側金具１１と、この固定側金具１１に着脱自在に連結される着脱側金具２１とで構成され、固定側金具１１は、建築物のサッシＳの継目の隙間Ｄを利用して埋め込んで固定できるように高さが抑えてあり、建築物の外側から見えにくく設置できるようにしてある。
【００３２】
この着脱式固定金具１０の固定側金具１１は、図１（ａ）に示すように、金属板製の固定側金具本体１２を備えており、この固定側金具本体１２の後方（奥側）に固定用取付孔１３が複数、図示例では、４個形成してある。また、この固定側金具本体１２には、側部に開口して前後方向に平行なガイド凹部１４が形成され、このガイド凹部１４の端部に連続して前方（手前側）に突き出すように係止用凹部１５が形成され、これらガイド凹部１４と係止用凹部１５とがＬ字状に連続した溝を構成している。このガイド凹部１４の開口の手前側角部には、切り欠き部が形成されてロート状に広げてあり、係止用凹部１５との奥側の角部および係止用凹部１５の手前端が円弧状の曲面としてある。
【００３３】
このような固定側金具１１に着脱可能に連結される着脱側金具２１は、金属板製の着脱側金具本体２２を備え、この着脱側金具本体２２の先端下面に係止用凹部１５の幅に対応する係止凸部としての係止ピン２３が突き出すように設けてある。また、この着脱側金具本体２２の基端部には、振れ止めワイヤ６を連結するためのワイヤ連結孔２４が貫通して形成してある。そして、これら着脱側金具本体２２の係止ピン２３とワイヤ連結孔２４とが、ガイド凹部１４に係止ピン２３を挿入した状態で、ワイヤ連結孔２４が固定側金具１１の外側に位置するように寸法が定めてある。
【００３４】
また、この着脱式固定金具１０では、固定側金具１１の係止用凹部１５に着脱側金具２１の係止ピン２３を係止した状態を保持するための保持機構２５として、着脱側金具２１の着脱側金具本体２２の先端に上方に付勢された板ばね２６が取り付けてあり、板ばね２６をサッシＳの隙間Ｄに入れることで、着脱側金具２１を下方に押える押さえ機構が構成されるようにしてある。
【００３５】
このように構成した着脱式固定金具１０では、予め固定側金具１１を、固定側金具本体１２の固定用取付孔１３を介して昇降用作業装置で外壁面に対する作業を行う建築物のサッシＳの隙間Ｄに埋め込むように固定しておく。この固定側金具１１を建築物のサッシＳの隙間Ｄに取り付けた状態では、固定側金具本体１２の後端縁である外壁面側の縁が隙間Ｄの内側に位置するように取り付け、外側から見えにくくするとともに、ガイド凹部１４が側方に開口し、外壁面と平行となるように配置して取り付ける。
【００３６】
この固定側金具１１は、建築物の構築の際に取り付けたり、構築後取り付けても良いが、少なくとも外壁作業前に取り付けてあれば良い。
【００３７】
また、着脱側金具２１には、ワイヤ連結孔２４に振れ止めワイヤ６の端部が直接連結固定されるとともに、振れ止めワイヤ６の他端には、吊下げ用ワイヤ３への連結用のスイベルフック９を取り付けておく。
【００３８】
こうして予め準備がなされた後、吊下げ用ワイヤ３に沿って昇降作業装置である作業用ケージを下降させながら、振れ止めワイヤ６が取り付けられた着脱側金具２１をサッシＳの隙間Ｄに挿入し、横にずらすようにして係止ピン２３を固定側金具１１のガイド凹部１４の開口に位置させる。
【００３９】
この後、このガイド凹部１４に沿って着脱側金具２１を横にずらすようにして端部にあたるようにし、この状態から手前に引き出すようにして係止ピン２３を係止用凹部１５に係止する。
【００４０】
すると、着脱側金具２１に取り付けた保持機構２５の板ばね２６によって着脱側金具２１が下方に押し付けられて係止状態が保持される。
【００４１】
そして、この着脱側金具２１を係止した状態で、振れ止めワイヤ６のスイベルフック９を吊下げ用ワイヤ３に掛けることで、振れ止めワイヤ６の長さに応じた範囲に振れを規制することができる。
【００４２】
こうして、作業用ケージの下降にともなって所定間隔に設置してある固定側金具１１に着脱側金具２１を係止し、振れ止めワイヤ６を吊下げ用ワイヤ３に連結していくことで、吊下げ用ワイヤ６の振れを抑えて作業用ケージの振れを抑えることができる。
【００４３】
一方、作業用ケージを上昇する場合には、着脱側金具２１を固定側金具１１から取り外して回収しながら上昇するようにすれば良い。
【００４４】
この着脱側金具２１の取り外しは、保持機構２５の板ばね２６を押えて着脱側金具２１を奥に押込むようにして係止用凹部１５から係止ピン２３を移動させ、ガイド凹部１４に沿って横に移動し、ガイド凹部１４から外れたところで引き抜くようにすれば良い。
【００４５】
このような着脱式固定金具１０によれば、固定側金具１１と着脱側金具２１の２枚の厚さに対応するわずかな隙間Ｄがあれば、設置することができ、サッシＳの継目に埋め込んで簡単に固定側金具１１を設置することができる。
【００４６】
これにより、建築物などの外壁面から突き出すように設置する必要がなく、外から見えにくくすることができ、建築物の意匠やデザインを損なうことがない。
【００４７】
また、サッシＳの継目の構造も複雑にならず、単純な断面構造として設置することができる。
【００４８】
なお、上記実施の形態では、ガイド凹部の開口を左側に形成したものを例に説明したが、これに限らず、反転して右側に開口したものであっても良い。
【００４９】
また、サッシの隙間を利用して固定側金具を取り付けるため水平に配置する場合を例に説明したが、固定側金具を、隙間が縦長の場合（垂直方向に形成される場合）には、垂直に配置し、着脱側金具を垂直にして移動することで、下端で係止するようにしても良い。
【００５０】
さらに、この着脱式固定金具は、作業用ケージの振れ止め用に限らず、他の機器などの振れ止めやワイヤによる連結などに広く適用することができる。
【図面の簡単な説明】
【００５１】
【図１】この考案の着脱式固定金具を昇降作業装置の作業用ケージの吊下げ用ワイヤの振れ止めに適用した振止金具としての一実施の形態にかかり、（ａ）は拡大斜視図、（ｂ）は使用状態の断面図である。
【図２】この考案の脱式固定金具が適用される昇降作業装置としての作業用ケージの概略説明図である。
【図３】従来の振れ止め用ワイヤの概略斜視図である。
【符号の説明】
【００５２】
Ｂ          構造物
１          レール
２          台車
３          吊下げ用ワイヤ
４          作業用ケージ
６          振れ止めワイヤ
９          スイベルフック
１０        着脱式固定金具
１１        固定側金具
１２        固定側金具本体
１３        固定用取付孔
１４        ガイド凹部
１５        係止用凹部
２１        着脱側金具
２２        着脱側金具本体
２３        係止ピン（係止凸部）
２４        ワイヤ連結孔
２５        保持機構
２６        板ばね（押さえ機構）
Ｓ          サッシ
Ｄ          隙間
【図１】
0003120060.tif 000003
【図２】
0003120060.tif 000004
【図３】
0003120060.tif 000005